(57)【要約】【課題】  収納部を使用者の手の届く位置に移動させることにより、効率的に収納作業を行うことができるキッチン収納部を提供すること。【解決手段】  調理用カウンター１２等を備えたフロアキャビネット１３の上方に隙間を介して配設される天袋１４の下面に設けられたレール４と、レール４に沿って天袋１４の左右長手方向に移動可能な収納部８と、収納部８をレール４に沿って移動させる移動手段２と、フロアキャビネット１３又は天袋１４の左右長手方向に設けられ使用者の位置を検出する位置検出部５と、位置検出部５により検出した位置に収納部８を移動させるべく移動手段２を制御する制御部９とを備えてなるようにする。【選択図】図１
2006122471.tif 000002
【特許請求の範囲】
【請求項１】
調理用カウンター等を備えたフロアキャビネットの上方に隙間を介して配設される天袋の下面に設けられたレールと、
前記レールに沿って前記天袋の左右長手方向に移動可能な収納部と、
前記収納部をレールに沿って移動させる移動手段と、
前記フロアキャビネット又は前記天袋の左右長手方向に設けられ使用者の位置を検出する位置検出部と、
前記位置検出部により検出した位置に収納部を移動させるべく前記移動手段を制御する制御部とを備えてなることを特徴とするキッチン収納部。
【請求項２】
前記位置検出部が人感センサーであることを特徴とする請求項１記載のキッチン収納部。
【請求項３】
前記位置検出部がスイッチであることを特徴とする請求項１記載のキッチン収納部。
【発明の詳細な説明】
【技術分野】
【０００１】
本発明は、システムキッチン等の天袋に設けられるキッチン収納部に関するものである。
【背景技術】
【０００２】
従来より、調理用カウンター等を備えたフロアキャビネットの上方に隙間をあけて天袋が配設されたシステムキッチン等においては、フロアキャビネットの上面での調理スペースの確保のため、天袋は通常高い位置に配置されており、そのため収納物の出し入れがしづらいものであった。これを解消するために、天袋の下面側にキッチン収納部を設け、天袋よりも下方位置で収納物の出し入れができるようにしたものが知られている（特許文献１）。
【特許文献１】実公平６−３１９５４号公報
【発明の開示】
【発明が解決しようとする課題】
【０００３】
しかしながら、上記のキッチン収納部は天袋の下面側に固定されているため、収納部の位置まで使用者が移動して収納物の出し入れをする必要があり、作業効率が低下するという課題を有していた。
【０００４】
本発明は、かかる事由に鑑みてなしたもので、その目的とするところは、収納部を使用者の手の届く位置に移動させることにより、効率的に収納作業を行うことができるキッチン収納部を提供することにある。
【課題を解決するための手段】
【０００５】
上記課題を解決するために、本発明におけるキッチン収納部は、第１に、調理用カウンター等を備えたフロアキャビネットの上方に隙間を介して配設される天袋の下面に設けられたレールと、前記レールに沿って前記天袋の左右長手方向に移動可能な収納部と、前記収納部をレールに沿って移動させる移動手段と、前記フロアキャビネット又は前記天袋の左右長手方向に設けられ使用者の位置を検出する位置検出部と、前記位置検出部により検出した位置に収納部を移動させるべく前記移動手段を制御する制御部とを備えてなることを特徴とする。
【０００６】
第２に、前記位置検出部が人感センサーであることを特徴とする。
【０００７】
第３に、前記位置検出部がスイッチであることを特徴とする。
【発明の効果】
【０００８】
上記本発明の第１のキッチン収納部においては、位置検出部により検出した使用者の位置に収納部を移動させることができるので、効率的に収納作業を行うことができる。
【０００９】
上記本発明の第２のキッチン収納部においては、前記位置検出部が人感センサーであるので、使用者が作業位置を変更する度に収納部を移動させる操作を必要とせず、より効率的に収納作業を行うことができる。
【００１０】
上記本発明の第３のキッチン収納部においては、前記位置検出部がスイッチであるので、使用者が作業を行う位置でスイッチを押すことにより収納部を好みの位置に移動させることができるとともに、作業位置を一時的に変更しても収納部が移動を停止した状態とすることができる。そのため、効率的に収納作業を行うことができることに加えて、収納部の移動動作を必要最小限とすることができる。
【発明を実施するための最良の形態】
【００１１】
（実施形態１）
本発明の実施形態１におけるキッチン収納部１について、図１〜３に基づいて説明する。ここでは、本実施形態におけるキッチン収納部１が備えられたシステムキッチン２０を用いて説明する。
【００１２】
本実施形態におけるキッチン収納部１は、レンジ１０、シンク１１、調理用カウンター１２を備えたフロアキャビネット１３の上方に、隙間を介してレンジフード１５とともに配設される天袋１４の下面に設けられたレール４と、レール４に沿って天袋１４の左右長手方向に移動可能な収納部８と、収納部８をレール４に沿って移動させる移動手段２と、天袋１４の前面下部の左右長手方向に設けられ使用者の位置を検出する複数の位置検出部５と、位置検出部５により検出した位置に収納部８を移動させるべく移動手段２を制御する制御部９とを備えている。
【００１３】
収納部８は、前面側が開口し内部に収納空間を有する箱型形状をなしており、その頂部には収納部８の前後に突出した突出部７が形成された天板６を有している。そして、突出部７の下面側には、収納部８をレール４に沿って移動させる移動手段２として、モーター（図示せず）及びこれにより駆動されレール４を走行する走行用ローラー２ａが備えられており、天袋１４の下面に設けられたレール４に係合している。
【００１４】
また、天板６の上面側には、天袋１４内に設置された制御部９からの信号受信及びモーター（図示せず）への給電を行うための端子３が備えられており、レール４内部の上面に設けられた給電部（図示せず）と接した状態となっている。
【００１５】
天袋１４の前面下部の左右長手方向には、使用者の位置を検出するための位置検出部５が７箇所に備えられている。位置検出部５としては、例えば、赤外線センサーや超音波センサー等の人感センサーを用いることができる。
【００１６】
そして、位置検出部５により検出した使用者の位置情報を制御部９へと送信し、制御部９からの信号によって移動手段２が動作して収納部８が使用者の位置へと移動するようになっている。
【００１７】
以上のように、本実施形態におけるキッチン収納部１は、位置検出部５により検出した使用者の位置に収納部８を移動させることができるので、効率的に収納作業を行うことができる。
【００１８】
また、人感センサーからなる位置検出部５を備え、位置検出部５により検出した位置に収納部８を移動させることができるので、使用者が作業位置を変更する度に収納部８を移動させる操作を必要とせず、より効率的に収納作業を行うことができる。
【００１９】
なお、位置検出部５の設置位置については、調理用カウンター１２の前縁やフロアキャビネット１３の台輪部１６等であってもよい。
【００２０】
また、位置検出部５の数については、天袋１４の左右の長さ等に合わせて適宜選択すればよい。
【００２１】
（実施形態２）
次に、本発明の実施形態２におけるキッチン収納部１について、図１〜３に基づいて説明する。本実施形態においては、実施形態とほぼ同様であり、実施形態１と異なる部分についてのみ説明する。
【００２２】
本実施形態においては、位置検出部５として複数のスイッチを用いている。
【００２３】
そして、使用者によりスイッチが押されると、スイッチが押された位置を位置情報として制御部９へと送信し、制御部９からの信号によって移動手段２が動作して収納部８が使用者の位置へと移動するようになっている。
【００２４】
以上のように、本実施形態におけるキッチン収納部１は、スイッチからなる位置検出部５を備え、これにより検出した位置に収納部８を移動させることができるので、使用者が作業を行う位置でスイッチを操作することにより収納部８を好みの位置に移動させることができ、効率的に収納作業を行うことができる。
【００２５】
また、スイッチが天袋１４の左右長手方向に複数設けられているので、使用者が作業をしている位置において、身近にあるスイッチを操作することにより収納部８を当該スイッチの位置へと移動させることができる。そのため、使用者がスイッチを操作するためにわざわざ移動しなくてもよく、スイッチ操作が容易となる。
【００２６】
また、作業位置を一時的に変更しても収納部８が移動を停止した状態とすることができるので、収納部８の移動動作を必要最小限とすることができる。
【００２７】
なお、スイッチの設置位置については、調理用カウンター１２の前縁やフロアキャビネット１３の台輪部１６等であってもよい。特に、台輪部１６にスイッチを設けた場合、足でスイッチを操作することができるので、作業の手を止めずに収納部８を移動させることができる。
【００２８】
また、スイッチの数については、天袋１４の左右の長さ等に合わせて適宜選択すればよい。
【図面の簡単な説明】
【００２９】
【図１】本発明の実施形態におけるキッチン収納部１を備えたシステムキッチン２０の正面図である。
【図２】図１におけるＡ−Ａ´断面図である。
【図３】本発明の実施形態におけるキッチン収納部１のブロック図である。
【符号の説明】
【００３０】
１  キッチン収納部
２  移動手段
２ａ  走行用ローラー
３  端子
４  レール
５  位置検出部
６  天板
７  突出部
８  収納部
９  制御部
１４  天袋
２０  システムキッチン
【図１】
2006122471.tif 000003
【図２】
2006122471.tif 000004
【図３】
2006122471.tif 000005